(57)【要約】【課題】  強化型扁平片帯の提供。【解決手段】  少なくとも一本の金属強化線が樹脂片体中に一体成形されてなり、上記樹脂片体中に細く軟らかい金属線或いはケーブルが埋め込まれ、そのせん断強度と引っ張り強度が増され、片体が応用される時、強靱で安全である。その内部にケーブルが設けられる時、ケーブル内部に更に軟質の電気伝導線が設けられ、その他の電流導通を必要とする応用に利用される。【選択図】        図２
0003105897.tif 000002
【実用新案登録請求の範囲】
【請求項１】
強化型扁平片帯において、樹脂片体内に樹脂片体の長手方向に沿って少なくとも一本の金属強化線が一体に成形されてなることを特徴とする、強化型扁平片帯。
【請求項２】
請求項１記載の強化型扁平片帯において、少なくとも一本の金属強化線がケーブルとされたことを特徴とする、強化型扁平片帯。
【請求項３】
請求項１記載の強化型扁平片帯において、少なくとも一本の金属強化線が少なくとも一層のケーブル外皮で電気伝送線を被覆してなることを特徴とする、強化型扁平片帯。
【請求項４】
請求項１、２、３のいずれか記載の強化型扁平片帯において、金属強化線と扁平片帯の断面が同方向の扁平形状とされたことを特徴とする、強化型扁平片帯。
【請求項５】
請求項１、２、３のいずれか記載の強化型扁平片帯において、扁平片帯の少なくとも一側面上に扁平片帯の長手方向に沿って少なくとも一つの案内凸縁が設けられたことを特徴とする、強化型扁平片帯。
【請求項６】
請求項４記載の強化型扁平片帯において、扁平片帯の少なくとも一側面上に扁平片帯の長手方向に沿って少なくとも一つの案内凸縁が設けられたことを特徴とする、強化型扁平片帯。
【請求項７】
請求項１、２、３のいずれか記載の強化型扁平片帯において、扁平片帯の少なくとも一側面上に扁平片帯の長手方向に沿って連続する凹部が形成されたことを特徴とする、強化型扁平片帯。
【請求項８】
請求項４記載の強化型扁平片帯において、扁平片帯の少なくとも一側面上に扁平片帯の長手方向に沿って連続する凹部が形成されたことを特徴とする、強化型扁平片帯。
【考案の詳細な説明】
【技術分野】
【０００１】
本考案は一種の強化型扁平片帯に係り、特に樹脂片体中に、長さ方向に複数の細く軟らかい金属強化線が埋め込まれ、そのせん断強度と引っ張り強度が高められ、全体の耐久性と安全係数が増され、これら片体の応用にあって、安全性と保障を提供する。上述の強化線内部には更に細く軟らかい電気伝導線を埋め込み可能で、これによりその他の電流導通を必要とする応用に使用されうる。
【背景技術】
【０００２】
科学技術の進歩と工業商業の繁栄の結果、交通運輸及び電気通信技術の発達により、同期に貨物梱包用の結束帯とケーブル通信業が勃興発展し、現在非常に広く一般に使用されている。ただし片体の各産業における応用の状況は異なり、例えば、一般に日常生活では結束帯を荷物の梱包に用いられ、スキー靴製造では人体足部を固定するためのバンドとして用いられ、必然的にその安全性を高める必要が生じ、また、大型の荷物の梱包や旅行用の大型トランクへの応用では箱体外側を括り、運送過程を安全として運送過程で箱が開いて内部の部品が散らばるのを防止する。しかし、これらの周知の帯片製品は樹脂一体成形で形成されるか、或いは細線を編成して形成され、基礎引っ張り強度は十分であっても、せん断強度は不足しがちであり、ゆえに使用上、如何にこのような製品の引っ張り強度或いはせん断強度を増すかが全体の運用の安全上、早急な解決を求められる重要な課題である。
【０００３】
このほか、多種類の片体の構造が研究開発されているが、いずれも単純に各種繊維或いは樹脂成形を利用したものであり、このような構造は単純な結束梱包或いは引っ張り作用を提供するに過ぎない。しかし近年、電子通信テクノロジーが日々進歩する状況にあって、片体製品に電気通信伝送機能を具備させる要求は日々切迫している。しかし今のところ使用に供される適当な製品は提供されていない。
【考案の開示】
【考案が解決しようとする課題】
【０００４】
本考案の主要な目的は、一種の扁平片帯の構造を提供することにあり、それは、少なくとも一本の金属強化線が樹脂片体中に一体成形されてなり、これによりこの構造中に柔軟で且つ強度に優れたスチールワイヤ材が含有され、これにより全体のせん断強度或いは引っ張り強度が増されたものとする。
【０００５】
本考案はまた上記少なくとも一本の金属強化線を電線ケーブルとする形態を提供することを目的とし、それは、このような扁平片帯を使用する時、電流或いは電気信号のセルフ導通の能力を具備するようにすること目的としている。
【課題を解決するための手段】
【０００６】
請求項１の考案は、強化型扁平片帯において、樹脂片体内に樹脂片体の長手方向に沿って少なくとも一本の金属強化線が一体に成形されてなることを特徴とする、強化型扁平片帯としている。
請求項２の考案は、請求項１記載の強化型扁平片帯において、少なくとも一本の金属強化線がケーブルとされたことを特徴とする、強化型扁平片帯としている。
請求項３の考案は、請求項１記載の強化型扁平片帯において、少なくとも一本の金属強化線が少なくとも一層のケーブル外皮で電気伝送線を被覆してなることを特徴とする、強化型扁平片帯としている。
請求項４の考案は、請求項１、２、３のいずれか記載の強化型扁平片帯において、金属強化線と扁平片帯の断面が同方向の扁平形状とされたことを特徴とする、強化型扁平片帯としている。
請求項５の考案は、請求項１、２、３のいずれか記載の強化型扁平片帯において、扁平片帯の少なくとも一側面上に扁平片帯の長手方向に沿って少なくとも一つの案内凸縁が設けられたことを特徴とする、強化型扁平片帯としている。
請求項６の考案は、請求項４記載の強化型扁平片帯において、扁平片帯の少なくとも一側面上に扁平片帯の長手方向に沿って少なくとも一つの案内凸縁が設けられたことを特徴とする、強化型扁平片帯としている。
請求項７の考案は、請求項１、２、３のいずれか記載の強化型扁平片帯において、扁平片帯の少なくとも一側面上に扁平片帯の長手方向に沿って連続する凹部が形成されたことを特徴とする、強化型扁平片帯としている。
請求項８の考案は、請求項４記載の強化型扁平片帯において、扁平片帯の少なくとも一側面上に扁平片帯の長手方向に沿って連続する凹部が形成されたことを特徴とする、強化型扁平片帯としている。
【考案の効果】
【０００７】
本考案は一種の強化型扁平片帯を提供し、それは、樹脂片体中に、長さ方向に複数の細く軟らかい金属強化線が埋め込まれ、そのせん断強度と引っ張り強度が高められ、全体の耐久性と安全係数が増され、これら片体の応用にあって、安全性と保障を提供する。上述の強化線内部には更に細く軟らかい電気伝導線を埋め込み可能で、これによりその他の電流導通を必要とする応用に使用されうる。
【考案を実施するための最良の形態】
【０００８】
図１から図５に示されるように、本考案は、少なくとも一本の金属強化線３が樹脂片体２と長手方向に一体成形されてなり、該金属強化線３は柔軟な金属線或いはケーブル３１或いは少なくとも一層のケーブル外皮３２で電気伝送線３３を被覆してなる。
【０００９】
上述の金属強化線３は樹脂片体２中に埋め込まれ、該扁平片帯１の引っ張り強度或いはせん断強度を増す。樹脂片体２中にケーブル外皮３２で電気伝送線３３を被覆したものが埋め込まれる時は、該扁平片帯１の安全強度が高められるだけでなく、電流や電気信号の伝送の機能を具備する。例えば扁平片帯１の両端に信号切断検出警報装置４が設けられる時は、警報装置５が警告と盗難防止の信号或いは警報を発生し、こうして防護と警告のダブル作用を提供し、製品の付加価値を高める。
【００１０】
上述の構造の組合せは、ケーブル３１或いはケーブル外皮３２で電気伝送線３３を被覆したものにより、周知の繊維含有の扁平片帯に較べ、扁平片帯１の引っ張り強度或いはせん断強度と全体の安全性を増すことができ、特に貴重な物品の梱包と輸送に供される。本考案の片体はパーソナライズされると共に多元化の構造設計とされ、単純な物品の梱包、結束の作用と機能のみを有するのではない。
【００１１】
以上から分かるように、本考案の強化型扁平片帯は周知の扁平片帯の構造の上述の欠点を改善し、且つ本考案は未公開、未使用であり、実用新案登録の要件を具備している。
【００１２】
また、扁平片帯１の収納時に偏りが発生しないように、扁平片帯１の辺縁に突出する案内凸縁２１が設けられ、扁平片帯１の入出力作用の案内に供される。且つ扁平片帯１の樹脂片体２の少なくとも一面に、扁平片帯１の長手方向に沿って連続する凹部２２が形成され、係止位置決め或いは長さ係数に供される。
【００１３】
注意すべきことは、以上の実施例は本考案の実施範囲を限定するものではなく、本考案に基づきなしうる改変、例えば、図４に示されるように、扁平片帯１の断面が両側に円弧１１、１２を具備し、且つ内部の金属強化線３もまた扁平形状とされたものも、本考案の実施範囲に属し、その発生する作用効果が本考案の明細書と図面がカバーする精神を逸脱しない時、いずれも本考案の請求範囲内に属する。
【図面の簡単な説明】
【００１４】
【図１】本考案の好ましい実施例の立体図である。
【図２】本考案の拡大且つ局部断面の立体図である。
【図３】本考案の金属強化線内に電気伝送線が設けられた断面図である。
【図４】本考案の別の実施例の立体図である。
【図５】本考案の実施例をトランクの結束帯に使用した立体図である。
【符号の説明】
【００１５】
１  扁平片帯
１１、１２  円弧
２  樹脂片体
２１  案内凸縁
２２  凹部
３  金属強化線
３１、３２  ケーブル
３３  電気伝送線
４  信号切断検出警報装置
【図１】
0003105897.tif 000003
【図２】
0003105897.tif 000004
【図３】
0003105897.tif 000005
【図４】
0003105897.tif 000006
【図５】
0003105897.tif 000007